(57)【特許請求の範囲】
【請求項１】
ホストシステムから送出された画像データを入力する画像入力手段と、手書きデータを入力する手書き入力手段と、この手書き入力手段から入力された手書きデータを記憶する手書きメモリと、この手書きメモリに記憶された手書きデータと上記画像データとを合成して表示データを送出する合成手段と、この合成手段から送出された表示データを表示する表示手段と、この表示手段に表示された表示データを記憶する表示メモリと、上記表示データの利用者の音声を入力する音声入力手段と、この音声入力手段で入力された音声に判別符号を付加して音声データを送出する符号手段と、この符号手段から送出された音声データを記憶する音声メモリと、この音声メモリに記憶された音声データを出力する音声出力手段と、上記手書きデータが所定期間以上入力されなかった時に、上記表示データを記憶するよう表示メモリの制御を行い、かつ上記音声に判別符号を付加して上記音声メモリに記憶するよう上記符号手段及び音声メモリを制御し、上記表示データと音声データとを上記判別符号によって時間的に関連づけて上記表示手段及び音声出力手段で再生するよう制御する制御手段とで構成されたことを特徴とする電子黒板装置。
【発明の詳細な説明】
【０００１】
【発明の属する技術分野】
本発明は、電子黒板装置に係り、特に、画像及び音声データの記録再生を行う電子黒板装置に関する。
【０００２】
【従来の技術】
従来の電子黒板装置は、図２に示すように、ホストシステムから画像データ１が入力されて表示手段１１に会議資料を表示し、表示手段１１の表示面にはタッチパネル１２を設け、表示面上に手書き入力された手書きデータが手書きメモリ７に保持され、かつ画像入力手段３から入力された画像データ１と合成手段６によって合成されて表示手段１１に表示し、会議中の音声２が音声入力手段４によって入力されて音声メモリ１０９に記憶される。
【０００３】
また、制御手段１０８は、画像データ１及び音声データを表示メモリ１０及び音声メモリ１０９から各々読み出すよう制御し、表示手段１１に表示される画像データ１に関連した音声データが音声メモリ１０９から読み出されて音声出力手段１３で出力される。
【０００４】
【発明が解決しようとする課題】
上述のように、従来の電子黒板装置は、一つの資料に関して会議中に討議された音声データと会議中に書き加えられた画像データとの時間的な関連付けがないため、会議の進行状況を詳細に再生することができないという課題があった。
【０００５】
従って、本発明の目的は、資料へ書き加えられた画像データと会議中の音声データとを時間に関連付けて記憶する電子黒板装置を提供することである。
【０００６】
【課題を解決するための手段】
上述の課題を解決するために、本発明の電子黒板装置は、ホストシステムから送出された画像データを入力する画像入力手段と、手書きデータを入力する手書き入力手段と、この手書き入力手段から入力された手書きデータを記憶する手書きメモリと、この手書きメモリに記憶された手書きデータと上記画像データとを合成して表示データを送出する合成手段と、この合成手段から送出された表示データを表示する表示手段と、この表示手段に表示された表示データを記憶する表示メモリと、上記表示データの利用者の音声を入力する音声入力手段と、この音声入力手段で入力された音声に判別符号を付加して音声データを送出する符号手段と、この符号手段から送出された音声データを記憶する音声メモリと、この音声メモリに記憶された音声データを出力する音声出力手段と、上記手書きデータが所定期間以上入力されなかった時に、上記表示データを記憶するよう表示メモリの制御を行い、かつ上記音声に判別符号を付加して上記音声メモリに記憶するよう上記符号手段及び音声メモリを制御し、上記表示データと音声データとを上記判別符号によって時間的に関連づけて上記表示手段及び音声出力手段で再生するよう制御する制御手段とで構成されたことを特徴とする。
【０００７】
【発明の実施の形態】
次に、本発明の一実施の形態による電子黒板装置を図面を参照して説明する。
【０００８】
図１は、本発明の第１実施の形態による電子黒板装置のブロック構成図である。
【０００９】
本発明の一実施の形態による電子黒板装置は、図１に示すように、ホストシステムから送出された画像データ１を入力する画像入力手段３と、手書きデータを入力する手書き入力手段のタッチパネル１２と、このタッチパネル１２から入力された手書きデータを記憶する手書きメモリ７と、この手書きメモリ７に記憶された手書きデータと画像データ１とを合成して表示データを送出する合成手段６と、この合成手段６から送出された表示データを表示する表示手段１１と、この表示手段１１に表示された表示データを記憶する表示メモリ１０と、表示データの利用者の音声２を入力する音声入力手段４と、この音声入力手段４で入力された音声２に判別符号を付加して音声データを送出する符号手段５と、この符号手段５から送出された音声データを記憶する音声メモリ９と、この音声メモリ９に記憶された音声データを出力する音声出力手段１３と、手書きデータが所定期間以上入力されなかった時に、表示データを記憶するよう表示メモリ１０の制御を行い、かつ音声２に判別符号を付加して音声メモリ９に記憶するよう符号手段５及び音声メモリ９を制御し、表示データと音声データとを判別符号によって時間的に関連づけて表示手段１１及び音声出力手段１３で再生するよう制御する制御手段８とで構成される。
【００１０】
次に、本発明の一実施の形態による電子黒板装置の動作を図面を参照して説明する。
【００１１】
本発明の一実施の形態による電子黒板装置の動作は、図１に示すように、ホストシステムから送出された画像データ１が画像入力手段３に入力されて表示手段１１に表示されると、制御手段８の制御によって音声メモリ９に音声データの記憶を開始し、タッチパネル１２からの手書きデータが手書きメモリ７に入力開始されてから所定時間、例えば１分間入力がなかった時に一連の手書き処理が終了したと制御手段８が判断し、合成手段６から出力された表示データを表示メモリ１０に記憶させ、次に手書きデータが手書きメモリ７に入力されるまで記憶動作を停止し、その後に手書きデータが手書きメモリ７に入力されて以降、再び１分間入力されなかった時に合成手段６から出力された表示データを記憶する処理を繰り返す。
【００１２】
また、会議開始の当初の画像データ１の記憶動作は、合成手段６から出力された表示データを全て記憶し、２回目以降の画像データの記憶動作の場合、前回記憶された表示データと今回記憶する時点の表示データとの差分のデータのみを記憶する。
【００１３】
一方、会議中の音声２は、音声入力手段４を介して取り込まれ、かつ表示メモリ１０に表示データを記憶するのと同期して符号手段５で判別符号が付加され、この判別符号が付加された音声データを音声メモリ９に記憶し、再生動作が開始されると、制御手段８が表示メモリ１０から会議当初の画像データ１を読み出して表示手段１１に表示するよう制御し、かつ会議中に記憶された音声データを判別符号毎に読み出すよう音声メモリ９を制御して音声出力手段１３で出力される。
【００１４】
従って、制御手段８は、表示メモリ１０から現在表示されている表示データの次に記憶した表示データを読み出し、表示手段１１に表示されている表示データと読み出した表示データとを加算した表示データを表示手段１１に表示させ、この動作を繰り返すことにより、再生中の音声が記憶された時点の画像が表示手段１１に表示される。
【００１５】
【発明の効果】
以上説明したように、本発明の電子黒板装置によれば、会議中に資料へ書き加えた画像データと会議中の音声データとを時間的に関連付けて記憶できるので、会議中の資料、資料に書き加えられた画像データ、会議中の討議を録音した音声データを会議の進行通り関連させて再生できる効果がある。
【図面の簡単な説明】
【図１】本発明の第１実施の形態による電子黒板装置のブロック構成図である。
【図２】従来の電子黒板装置のブロック構成図である。
【符号の説明】
１  画像データ
２  音声
３  画像入力手段
４  音声入力手段
５  符号手段
６  合成手段
７  手書きメモリ
８  制御手段
９  音声メモリ
１０  表示メモリ
１１  表示手段
１２  手書き入力手段（タッチパネル）
１３  音声出力手段
【図１】
0003826502.tif 000002
【図２】
0003826502.tif 000003